(57)【要約】  本発明のある実施形態は、ケーブルの束を固定するためのフック・ループ紐体を提供する。フック・ループ紐体（２００）は、ループ構成要素（２１０）、滑り止め構成要素（２３０）、およびフック構成要素（２２０）を備える。ループ構成要素は、第１の端および前記第１の端と反対側の第２の端を有する。滑り止め構成要素は、ループ構成要素に添着され、ループ構成要素の第１の端から、ループ構成要素の第２の端に向かって延在する。フック構成要素は、ループ構成要素に添着され、ループ構成要素の第２の端から、ループ構成要素の第１の端に向かって延在し、滑り止め構成要素の少なくとも一部分と重複する。
2013522124.tif 000002
【特許請求の範囲】
【請求項１】
ケーブルの束を固定するためのフック・ループ紐体であって、前記フック・ループ紐体は、
ループ構成要素であって、第１の端および前記第１の端と反対側の第２の端を有する、ループ構成要素と、
前記ループ構成要素に添着される滑り止め構成要素であって、前記ループ構成要素の前記第１の端から、前記ループ構成要素の前記第２の端に向かって延在する、滑り止め構成要素と、
前記ループ構成要素に添着されるフック構成要素であって、前記ループ構成要素の前記第２の端から、前記ループ構成要素の前記第１の端に向かって延在し、前記滑り止め構成要素の少なくとも一部分と重複する、フック構成要素と、を備える、フック・ループ紐体。
【請求項２】
前記ループ構成要素は、ループ生地を含む、請求項１に記載のフック・ループ紐体。
【請求項３】
前記フック構成要素は、マイクロフックを含む、請求項１に記載のフック・ループ紐体。
【請求項４】
前記滑り止め構成要素は、判別テープを含む、請求項１に記載のフック・ループ紐体。
【請求項５】
前記滑り止め構成要素は、感圧接着剤を含む、請求項１に記載のフック・ループ紐体。
【請求項６】
剥離ライナーを更に備え、前記剥離ライナーの第１の部分が、前記感圧接着剤を被覆する、請求項５に記載のフック・ループ紐体。
【請求項７】
前記剥離ライナーの第２の部分は、前記フック構成要素の一部分と重複して、前記剥離ライナーを前記感圧接着剤から取り外すための取り外し用タブを形成する、請求項６に記載のフック・ループ紐体。
【請求項８】
前記滑り止め構成要素は、非接着性の粘着性基材を含む、請求項１に記載のフック・ループ紐体。
【請求項９】
前記滑り止め構成要素は、永久接着剤を使用して前記ループ構成要素に添着される、請求項１に記載のフック・ループ紐体。
【請求項１０】
前記フック構成要素は、永久接着剤を使用して前記ループ構成要素に添着される、請求項１に記載のフック・ループ紐体。
【請求項１１】
前記フック構成要素は、前記滑り止め構成要素に添着される、請求項１に記載のフック・ループ紐体。
【請求項１２】
前記フック構成要素は、永久接着剤を使用して前記滑り止め構成要素に添着される、請求項１１に記載のフック・ループ紐体。
【請求項１３】
前記滑り止め構成要素は、前記ループ構成要素よりも短い、請求項１に記載のフック・ループ紐体。
【請求項１４】
前記フック構成要素は、前記ループ構成要素よりも短く、前記滑り止め構成要素よりも長い、請求項１に記載のフック・ループ紐体。
【請求項１５】
ケーブルの束を固定するためのフック・ループ紐体を構築する方法であって、前記方法は、
ループ構成要素を提供するステップであって、前記ループ構成要素は、第１の端および前記第１の端と反対側の第２の端を有する、ステップと、
前記ループ構成要素に滑り止め構成要素を添着するステップであって、前記滑り止め構成要素は、前記ループ構成要素の前記第１の端から、前記ループ構成要素の前記第２の端に向かって延在する、ステップと、
フック構成要素を前記ループ構成要素に添着するステップであって、前記フック構成要素は、前記ループ構成要素の前記第２の端から、前記ループ構成要素の前記第１の端に向かって延在し、前記滑り止め構成要素の少なくとも一部分と重複する、ステップと、を含む、方法。
【発明の詳細な説明】
【技術分野】
【０００１】
関連出願の相互参照
本出願は、２００９年５月２２日に出願された米国特許出願第１２／４７０，９２１号の一部継続である、２０１０年２月１１日に出願された米国特許出願第１２／７０４，０６６号の一部継続であり、それは２００８年１２月３日に出願された米国仮特許出願第６１／１１９，３９８号、および２００８年５月２７日に出願された米国仮特許出願第６１／０５６，１２７号に対する優先権を主張する。これらの出願の各々は、参照によりその全体が組み込まれる。
【０００２】
本発明は、フック・ループ紐体に関する。より具体的には、本発明は、束への損傷の危険性を伴わない、改善された束引張のための滑り止め領域を有するフック・ループ紐体に関する。
【背景技術】
【０００３】
フック・ループ締結具は、当該技術分野で周知である。先行技術のフック・ループ締結具の例としては、参照によりその全体が組み込まれる特許文献１、滑り止めのネオプレン（登録商標）を有するＶｅｌｓｔｒａｐ（登録商標）ブランドのストラップ（Ｖｅｌｃｒｏ  Ｉｎｄｕｓｔｒｉｅｓ，Ｎ．Ｖ．（登録商標））、および感圧接着剤裏地を有するＣｏｒｏｐｌａｓｔ（登録商標）ニットループ（Ａｐｌｉｘ，Ｉｎｃ．）が挙げられる。
【先行技術文献】
【特許文献】
【０００４】
【特許文献１】米国特許第５，２００，２４５号
【発明の概要】
【発明が解決しようとする課題】
【０００５】
しかしながら、これらの先行技術のフック・ループ締結具にもかかわらず、束への損傷の危険性を伴わない、改善された束引張のための滑り止め領域を有する、改善されたフック・ループ紐体に対する必要性が依然として存在する。
【課題を解決するための手段】
【０００６】
本発明のある実施形態は、ケーブルの束を固定するためのフック・ループ紐体を提供する。フック・ループ紐体は、ループ構成要素、滑り止め構成要素、およびフック構成要素を備える。ループ構成要素は、第１の端および第１の端と反対側の第２の端を有する。滑り止め構成要素は、ループ構成要素に添着され、ループ構成要素の第１の端から、ループ構成要素の第２の端に向かって延在する。フック構成要素は、ループ構成要素に添着され、ループ構成要素の第２の端から、ループ構成要素の第１の端に向かって延在し、滑り止め構成要素の少なくとも一部分と重複する。
【０００７】
本発明のある実施形態は、ケーブルの束を固定するためのフック・ループ紐体を構築する方法を提供する。本方法は、ループ構成要素を提供するステップと、滑り止め構成要素をループ構成要素に添着するステップと、フック構成要素をループ構成要素に添着するステップと、を含む。ループ構成要素は、第１の端および第１の端と反対側の第２の端を有する。滑り止め構成要素は、ループ構成要素の第１の端から、ループ構成要素の第２の端に向かって延在する。フック構成要素は、ループ構成要素の第２の端から、ループ構成要素の第１の端に向かって延在し、滑り止め構成要素の少なくとも一部分と重複する。
【図面の簡単な説明】
【０００８】
【図１】本発明の第１の実施形態によるフック・ループ紐体の側面図を示している。
【図２】図１のフック・ループ紐体の底面図を示している。
【図３】ワイヤの束を固定するフック・ループ紐体を示す、図１のフック・ループ紐体の側面図を示している。
【図４】本発明の第２の実施形態によるフック・ループ紐体についての構造詳細を例証する図である。
【図５】本発明の第２の実施形態によるフック・ループ紐体についての構造詳細を例証する図である。
【図６】本発明の第２の実施形態によるフック・ループ紐体についての構造詳細を例証する図である。
【図７】本発明の第２の実施形態によるフック・ループ紐体についての構造詳細を例証する図である。
【図８】本発明の第３の実施形態によるフック・ループ紐体についての構造詳細を例証する図である。
【図９】本発明の第３の実施形態によるフック・ループ紐体についての構造詳細を例証する図である。
【図１０】本発明の第４の実施形態によるフック・ループ紐体についての構造詳細を例証する図である。
【図１１】本発明の第４の実施形態によるフック・ループ紐体についての構造詳細を例証する図である。
【図１２】本発明の第４の実施形態によるフック・ループ紐体についての構造詳細を例証する図である。
【図１３】本発明の第４の実施形態によるフック・ループ紐体についての構造詳細を例証する図である。
【図１４】本発明の第５の実施形態によるフック・ループ紐体の構造詳細を例証する図である。
【図１５】本発明の第５の実施形態によるフック・ループ紐体の構造詳細を例証する図である。
【図１６】本発明の第６の実施形態によるフック・ループ紐体の構造詳細を例証する図である。
【図１７】本発明の第６の実施形態によるフック・ループ紐体の構造詳細を例証する図である。
【図１８】本発明の第６の実施形態によるフック・ループ紐体の構造詳細を例証する図である。
【図１９】本発明の第６の実施形態によるフック・ループ紐体の構造詳細を例証する図である。
【発明を実施するための形態】
【０００９】
図１〜３は、本発明の第１の実施形態によるフック・ループ紐体１００を例証する。
【００１０】
図１で最もよく見られるように、フック・ループ紐体１００は、第１の側面１１０および第２の側面１２０を含む。フック・ループ紐体１００の第１の側面１１０は、ループ締結領域１１１を含む。ループ締結領域１１１は、ニットループ、編みループ、またはフックと噛合するために好適な不織布等の複数のループ締結要素１１２を含む。
【００１１】
フック・ループ紐体１００の第２の側面１２０は、フック締結領域１２１を含む。フック締結領域１２１は、複数のフック締結要素１２２を含む。例えば、フック締結要素１２２は、釣針、キノコフック、マイクロフック、または他の型のフックのような形状にされてもよい。
【００１２】
フック・ループ紐体１００の第２の側面１２０はまた、接着領域１２３を含む。接着領域１２３は、感圧接着剤等の接着剤１２４を含む。好ましくは、接着剤１２４は、フラットバックテープ上に使用されるゴム系接着剤等の、剥離可能および／または再利用可能な接着剤である。
【００１３】
図１で最もよく見られるように、フック・ループ紐体１００は、成形先端１３０を含む。より具体的には、成形先端１３０は、弓状である。図３で最もよく見られるように、弓状成形先端１３０は、ワイヤの束１０の形状に一致する。代替的には、成形先端１３０は、一直線、湾曲、または他の方法で多様な束状の対象物に一致する形状に形成されてもよい。
【００１４】
図２で最もよく見られるように、接着領域１２３の長さＬＡは、フック締結領域１２１の長さＬＨよりも大きい。すなわち、フック・ループ紐体１００の第２の側面１２０の大部分は、接着領域１２３を含む。好ましくは、図２で最もよく見られるように、フック締結領域１２１は、フック・ループ紐体１００の成形先端１３０に限定される。好ましくは、図３で最もよく見られるように、接着領域１２３の長さＬＡは、ワイヤ束１０の外周よりも大きい。
【００１５】
図３で最もよく見られるように、フック・ループ紐体１００は、ワイヤ束１０の周囲に巻かれる。接着領域１２３は、ワイヤ束１０を固守する一方で、フック・ループ紐体１００は、ワイヤ束１０周囲に締着され、片手を使用した取り付けを可能にする。接着領域１２３は、ワイヤ束１０に固着して、フック・ループ紐体１００とワイヤ束１０との間のいかなる滑りも排除する。接着領域１２３はまた、フック・ループ紐体１００の第１の側面１１０に固着して、ワイヤ束１０を固定する。フック締結領域１２１上のフック締結要素１２２は、ループ締結領域１１１上のループ締結要素１１２を係合させ、ワイヤ束１０を更に固定する。フック・ループ紐体１００を剥離するために、フック締結領域１２１は、ループ締結領域１１１から分離される。接着剤１２４は、剥離可能であるため、接着領域１２３は、フック・ループ紐体１００の第１の側面１１０およびワイヤ束１０から分離され得る。
【００１６】
本発明のある実施形態では、フック・ループ紐体１００の第２の側面１２０は、使用していない間に、接着領域１２３を被覆し、接着剤１２４を保護するために、紙、プラスチック、または他の好適な材料等の剥離ライナー（図示略）を含む。
【００１７】
本発明のある実施形態では、ループ締結要素１１１およびフック締結要素１２２は、互換性がある。すなわち、フック・ループ紐体１００の第１の側面１１０上のループ締結要素１１１は、フック締結要素１２２と交換されてもよく、フック・ループ紐体１００の第２の側面１２０上のフック締結要素１２２は、ループ締結要素１１１と交換されてもよい。
【００１８】
接着領域１２３は、より一般的には、滑り止め領域１２３と称され得る。滑り止め領域１２３は、感圧接着剤等の接着剤１２４、または熱可塑性エラストマー（例えば、サントプレン（登録商標））、合成ゴム（例えば、ネオプレン（登録商標））、および／もしくは他の非接着性の粘着性基材等の非接着性物質１２４を含んでもよい。
【００１９】
図４〜７は、本発明の第２の実施形態によるフック・ループ紐体２００についての構造詳細を例証する。フック・ループ紐体２００は、図１〜３のフック・ループ紐体１００に類似している。すなわち、フック・ループ紐体２００は、それぞれ、ループ締結領域１１１、フック締結領域１２１、および接着領域１２３に類似した、１まとまりのループ生地等のループ構成要素２１０、１まとまりのループ生地等のフック構成要素２２０、および判別テープ２３０を含む。
【００２０】
図４で最もよく見られるように、フック構成要素２２０は、例えば、永久的であるために十分に厚い層で塗布される、ゴム系またはアクリル接着剤等の永久接着剤を使用して、ループ構成要素２１０に付着される。フック構成要素２２０は、ループ構成要素２１０の遠位端に配置され、ループ構成要素２１０の第１の部分２１１を被覆する。好ましくは、ループ構成要素２１０の長さは、７インチであり、フック構成要素２２０の長さは、３インチである。フック構成要素２２０の形状は、図４で最もよく見られるように、曲線状である。形状ループ構成要素２１０の、および故に、フック・ループ紐体２００、は、フック構成要素２２０の形状に適合する。
【００２１】
図５で最もよく見られるように、判別テープ２３０は、ループ構成要素２１０およびフック構成要素２２０に付着される。判別テープ２３０は、ループ構成要素２１０の第２の部分２１２、ならびにフック構成要素２２０の第１の部分２２１を被覆する。すなわち、判別テープ２３０は、フック構成要素２２０の第１の部分２２１と重複し、それによってフック・ループ紐体２００の全体的な強度を増加させる。好ましくは、判別テープ２３０の長さは、５．５インチである。本発明のある実施形態では、フック構成要素２２０の第１の部分２２１は、平板化されてもよい（図示略）。
【００２２】
判別テープ２３０は、第１の側面２３１および第２の側面２３２を含む。第１の側面２３１は、判別テープ２３０を、ループ構成要素２１０およびフック構成要素２２０の第１の部分２２１に固定するための、永久接着剤等の第１の接着剤を含む。第２の側面２３２は、フック・ループ紐体２００を、ケーブルの束（図示されず）に固定するための、第２の接着剤を含む。好ましくは、ケーブルの束に接触する判別テープ２３０の第２の側面２３２は、フラットバックテープに類似し、それはマスキングテープよりも強力であり、残留物を残すことなく取り外し可能である。完成したフック・ループ紐体２００は、図６に示される。束状のフック・ループ紐体２００は、図７に示される。
【００２３】
図８〜９は、本発明の第３の実施形態によるフック・ループ紐体３００についての構造詳細を例証する。フック・ループ紐体３００は、図４〜７のフック・ループ紐体２００に類似している。すなわち、フック・ループ紐体３００は、それぞれ、ループ構成要素２１０、フック構成要素２２０、および判別テープ２３０に類似した、１まとまりのループ生地等のループ構成要素３１０、１まとまりのフック生地等のフック構成要素３２０、および判別テープ３３０を含む。しかしながら、フック・ループ紐体２００とは異なり、フック構成要素３２０の第２の部分３２２は、図８で最もよく見られるように、ループ構成要素３１０の遠位端を越えて延在する。本発明のある実施形態では、フック構成要素３２０の第２のまたは延在した部分３２２は、次の利点を提供する：（１）更なる目立たなさ、（２）記入するための領域、（３）より簡便な取り外し、および（４）より少ないループ構成要素である。完成したフック・ループ紐体３００は、図８に示される。束状のケーブル紐体３００は、図９に示される。
【００２４】
図１０〜１３は、本発明の第４の実施形態によるフック・ループ紐体４００についての構造詳細を例証する。フック・ループ紐体４００は、図８〜９のフック・ループ紐体３００に類似している。すなわち、フック・ループ紐体４００は、それぞれ、ループ構成要素３１０、フック構成要素３２０、および判別テープ３３０に類似した、１まとまりのループ生地等のループ構成要素４１０、１まとまりのフック生地等のフック構成要素４２０、および判別テープ４３０を含む。しかしながら、フック・ループ紐体３００とは異なり、判別テープ４３０は、図１１で最もよく見られるように、ループ構成要素４１０とフック構成要素４２０との間に配置される。すなわち、判別テープ４３０は、図１０で最もよく見られるように、ループ構成要素４１０に付着され、フック構成要素４２０は、図１１で最もよく見られるように、判別テープ４３０に付着される。完成したフック・ループ紐体４００は、図１２に示される。束状の紐体４００は、図１３に示される。
【００２５】
図１４〜１５は、本発明の第５の代替実施形態によるフック・ループ紐体５００の構築詳細を例証する。フック・ループ紐体５００は、図１〜３のフック・ループ紐体１００に類似している。すなわち、フック・ループ紐体５００は、上述のように、それぞれ、ループ締結領域１１１、フック締結領域１２１、および接着剤または滑り止め領域１２３に類似した、ループ構成要素５１０、フック構成要素５２０、および滑り止め構成要素５３０を含む。
【００２６】
図１４に示されるように、フック・ループ紐体５００は、フック・ループ紐体５００の他の構成要素を支持するための任意の基盤構成要素５４０、および使用していない時に滑り止め構成要素５３０を保護するための任意の剥離ライナー５５０を含む。好ましくは、任意の剥離ライナーは、使用していない時に滑り止め構成要素５３０を保護することができる紙、プラスチック、または他の材料を含む（例えば、シリコーンで裏打ちされた紙もしくはプラスチック）。
【００２７】
更に、図１４〜１５に示されるように、フック構成要素５２０および滑り止め構成要素５３０の近位端５６０は、それらの間の間隙５７０を画定するよう離間している。代替的には、フック構成要素５２０および滑り止め構成要素５３０の近位端５６０は、隣接し得る（図１〜３のフック・ループ紐体１００に類似）か、代替的には重複し得る（それぞれ、図４〜７、８〜９、１０〜１３、および１６〜１９のフック・ループ紐体２００、３００、４００、および６００に類似）。
【００２８】
基盤構成要素５４０は、第１の側面５４１、第１の側面５４１と反対側の第２の側面５４２、第１の端５４３、および第１の端５４３と反対側の第２の端５４４を含む。好ましくは、基盤構成要素５４０は、ポリエステルもしくはポリエチレンテレフタレートフィルム（例えば、マイラー（登録商標））等のポリマーフィルム、またはフック・ループ紐体５００の他の構成要素を支持することができる他の材料を含む。
【００２９】
ループ構成要素５１０は、例えば、化学的または熱的に活性化される接着剤（例えば、熱溶融性接着剤）等の永久接着剤５８０を使用して、基盤構成要素５４０の第１の側面５４１に添着される。好ましくは、ループ構成要素５１０および基盤構成要素５４０は、同じ長さである。代替的には、ループ構成要素５４０は、基盤構成要素５４０よりも短くても、または長くてもよく、基盤構成要素５４０の第１の側面５４１に沿った任意の位置に配置されてもよい。好ましくは、ループ構成要素５１０は、ナイロンもしくはポリプロピレンループ生地（例えば、ベルクロ（登録商標））等のループ生地、またはフック構成要素５２０上で対応するフック締結要素と係合することができる他の材料を含む。
【００３０】
フック構成要素５２０は、例えば、永久接着剤５８０を使用して、基盤構成要素５４０の第２の側面５４２に添着される。好ましくは、フック構成要素５２０は、基盤構成要素５４０の第１の端５４３に配置され、そこから基盤構成要素５４０の第２の端５４４に向かって延在する。代替的には、フック構成要素５２０は、滑り止め構成要素５３０の第２の側面５４２以外の基盤構成要素５４０の第２の側面５４２に沿った任意の位置に配置されてもよい。好ましくは、フック構成要素５２０は、ナイロンもしくはポリプロピレンフック生地（例えば、ベルクロ（登録商標））等のフック生地、またはループ構成要素５２０上でループ締結要素と係合することができる他の材料を含む。ループ構成要素５１０およびフック構成要素５２０は、互換性がある。
【００３１】
滑り止め構成要素５３０は、基盤構成要素５４０の第２の側面５４２に添着される。好ましくは、滑り止め構成要素５３０は、基盤構成要素５４０の第２の端５４４に配置され、そこから基盤構成要素５４０の第１の端５４３に向かって延在する。代替的には、滑り止め構成要素５３０は、滑り止め構成要素５３０の第２の側面５４２以外の基盤構成要素５４０の第２の側面５４２に沿った任意の位置に配置されてもよい。好ましくは、滑り止め構成要素５４０は、感圧接着剤等の取り外し可能な接着剤、またはフック・ループ紐体５００を取り付けながらケーブルの束を固定することができる他の材料を含む。
【００３２】
図１４に示されるように、基盤構成要素５４０は、個別の構成要素である。代替的には、基盤構成要素５４０は、フック・ループ紐体５００の他の構成要素の一部であり得る。例えば、基盤構成要素５４０は、ループ構成要素５１０またはフック構成要素５２０の裏地材料の形態で提供されてもよい。別の例として、基盤構成要素５４０、ならびに滑り止め構成要素５３０および永久接着剤５８０は、判別テープの形態で提供されてもよい。代替的には、基盤構成要素５４０は任意であり、したがって、例えば、フック構成要素５２０および滑り止め構成要素５３０をループ構成要素５１０に直接添着することによって、フック・ループ紐体５００から完全に取り外されてもよい。
【００３３】
図１５に示されるように、フック・ループ紐体５００は、フック・ループ紐体シート５９０から切り取られてもよい。好ましくは、シート５９０の幅ＷＳは、フック・ループ紐体５００の長さＬＴと等しく、シート５９０の長さＬＳを切断して、フック・ループ紐体５００の幅ＷＴを形成する。
【００３４】
図１６〜１９は、本発明の第６の実施形態によるフック・ループ紐体６００の構築詳細を例証する。フック・ループ紐体６００は、図４〜７のフック・ループ紐体２００に類似している。すなわち、フック・ループ紐体６００は、上述のように、それぞれ、ループ構成要素２１０、フック構成要素２２０、および滑り止め構成要素２３０に類似した、ループ生地等のループ構成要素６１０、マイクロフック等のフック構成要素６２０、および判別テープ等の滑り止め構成要素６３０を含む。
【００３５】
しかしながら、フック・ループ紐体２００とは異なり、フック構成要素６２０は、滑り止め構成要素６３０の少なくとも一部分と重複する。例えば、図１６〜１９に示されるように、ループ構成要素６１０は、第１の端（参照線Ａ−Ａ）および第２の端（参照線Ｃ−Ｃ）を含む。滑り止め構成要素６３０は、例えば、熱融着性／熱溶融性接着剤または他の合成接着剤等の永久接着剤６３１を使用して、ループ構成要素６１０に添着され、ループ構成要素の第１の端６１０から、ループ構成要素の第２の端６１０に向かって延在する（参照線Ａ−Ａと参照線Ｄ−Ｄとの間）。フック構成要素６２０は、ループ構成要素６１０に添着され、例えば、熱融着性／熱溶融性接着剤または他の合成接着剤等の永久接着剤６４０を使用して、ループ構成要素の第２の端６１０からループ構成要素の第１の端６１０に向かって延在し（参照線Ｂ−Ｂと参照線Ｃ−Ｃとの間）、滑り止め構成要素６３０の少なくとも一部分と重複する（参照線Ｂ−Ｂと参照線Ｄ−Ｄとの間）。好ましくは、フック構成要素６２０は、例えば、永久接着剤６４０を使用して、滑り止め構成要素６３０に添着される。
【００３６】
ループ構成要素６１０およびフック構成要素６２０が互換性であることが同様に企図される。
【００３７】
図１７に示されるように、滑り止め構成要素６３０は、判別テープの形態で提供される、永久接着剤６３１、ならびに感圧接着剤６３２およびウェブ６３３を含む。しかしながら、永久接着剤６３１、感圧接着剤６３２、およびウェブ６３３が、個別の構成要素として提供されるか、あるいはループ構成要素６１０およびフック構成要素６２０等のフック・ループ紐体６００の他の構成要素と一体化されることが同様に企図される。代替的には、滑り止め構成要素６３０は、熱可塑性エラストマー（例えば、サントプレン（登録商標））、合成ゴム（例えば、ネオプレン（登録商標））、または他の非接着性の粘着性基材等の非接着性物質を含む。
【００３８】
図１９に示されるように、６００は、図１４の剥離ライナー５５０に類似している剥離ライナー６５０を含む。すなわち、剥離ライナー６５０は、滑り止め構成要素６３０、およびより具体的には、感圧接着剤６３２を被覆する、第１の部分（参照線Ａ−Ａと参照線Ｂ−Ｂとの間）を含む。しかしながら、剥離ライナー５５０とは異なり、剥離ライナー６５０は、接着剤を含まないフック構成要素６２０の少なくとも一部分を重複する第２の部分（参照線Ｂ−Ｂと参照線Ｄ−Ｄとの間）を含み、したがって、第２の部分は、剥離ライナー６５０を感圧接着剤６３２から取り外すための取り外し用タブ６５１を形成する。
【００３９】
本発明の特定の好ましい実施形態を示し、説明したが、本発明の教示から逸脱することなく変更および修正を行うことができることが当業者には明らかとなろう。前述の説明および添付の図に示される事柄は、例証目的で提供されるにすぎず、制限するものではない。例証された実施形態は、例にすぎず、本発明の範囲を制限すると見なされるべきではない。特許請求の範囲は、その趣旨が記載されていない限り、記載された順序または要素に限定されると解釈されるべきではない。したがって、以下の特許請求の範囲ならびにその均等物の範囲および趣旨に収まる全ての実施形態が、本発明として特許請求される。
【符号の説明】
【００４０】
１０  ・・・ワイヤ束、      １００，２００，３００，４００，５００，６００  ・・・フック・ループ紐体、      １１０，２３１，５４１  ・・・第１の側面、      １１１  ・・・ループ締結領域、      １１２  ・・・ループ締結要素、      １２０，２３２，５４２  ・・・第２の側面、      １２１  ・・・フック締結領域、      １２２  ・・・フック締結要素、      １２３  ・・・接着領域、      １２４  ・・・接着剤、      １３０  ・・・成形先端、      ２１０，３１０，４１０，５１０，６１０  ・・・ループ構成要素、      ２２０，３２０，４２０，５２０，６２０  ・・・フック構成要素、      ２３０，３３０，４３０  ・・・判別テープ、      ５３０，６３０  ・・・滑り止め構成要素、      ５４０  ・・・基盤構成要素、      ５８０，６４０  ・・・永久接着剤、      ５９０  ・・・シート、      ６３２  ・・・感圧接着剤、      ６３３  ・・・ウェブ、      ６５０  ・・・剥離ライナー、      ６５１  ・・・取り外し用タブ
【図１】
2013522124.tif 000003
【図２】
2013522124.tif 000004
【図３】
2013522124.tif 000005
【図４】
2013522124.tif 000006
【図５】
2013522124.tif 000007
【図６】
2013522124.tif 000008
【図７】
2013522124.tif 000009
【図８】
2013522124.tif 000010
【図９】
2013522124.tif 000011
【図１０】
2013522124.tif 000012
【図１１】
2013522124.tif 000013
【図１２】
2013522124.tif 000014
【図１３】
2013522124.tif 000015
【図１４】
2013522124.tif 000016
【図１５】
2013522124.tif 000017
【図１６】
2013522124.tif 000018
【図１７】
2013522124.tif 000019
【図１８】
2013522124.tif 000020
【図１９】
2013522124.tif 000021
【国際調査報告】
2013522124.tif 000022
2013522124.tif 000023